(57)【要約】【課題】従来、未利用又はパルプ原料にされていた針葉樹木の木の根元の根曲がり部分を原料として用いる合板の製造方法及び合板を提供する。【解決手段】根曲がり部分を有する木の根元部分１から約２ｍ部分Ｗｉを約１ｍ長の木材２、２に２分割する工程と、約１ｍ長の木材２を所定の厚さを有する板材にかつらむきする工程と、かつらむきすることにより得た板材３Ｍを、縦長さ約１ｍ、横長さ約２ｍの板体３にする工程と、縦長さ約１ｍ、横長さ約２ｍの板体を表面板３とし、表面板３の裏面に、少なくとも、１枚の板体を貼り合わせた。【選択図】図１
2005262691.tif 000002
【特許請求の範囲】
【請求項１】
根曲がり部分を有する木の根元部分から約２ｍ部分を約１ｍ長の木材に２分割する工程と、
前記約１ｍ長の木材を所定の厚さを有する板材にかつらむきする工程と、
前記かつらむきすることにより得た板材を、縦長さ約１ｍ、横長さ約２ｍの板体にする工程と、
前記縦長さ約１ｍ、横長さ約２ｍの板体を表面板とし、前記表面板の裏面に、少なくとも、１枚の板体を貼り合わせた、合板の製造方法。
【請求項２】
前記表面板として、根曲がり部分を有する木の根元部分から約２ｍ部分を約１ｍ長２分割して得た木材をかつらむきして得た板材の、前記木材の表面側に近い部分の板材を用いている、請求項１に記載の合板の製造方法。
【請求項３】
縦長さ約１ｍ、横長さ約２ｍの板体を表面板とし、前記表面板の裏面に、少なくとも、１枚の板体を貼り合わせた、合板であって、
前記表面板が、横長方向に対し縦方向に木目を有する合板。
【請求項４】
前記表面板は、根曲がり部分を有する木の根元部分から約２ｍ部分を約１ｍ長２分割して得た木材をかつらむきして得た板材の、前記木材の表面側に近い部分の板材である、請求項３に記載の合板。
【発明の詳細な説明】
【技術分野】
【０００１】
本発明は、合板の製造方法及び合板に関し、特に、従来、未利用又はパルプ原料にされていた針葉樹木の木の根元の根曲がり部分を原料として用いる合板の製造方法及び合板に関する。
【背景技術】
【０００２】
合板は、床材、壁材、外装材その他の建築用材や、各種の工作材として幅広く用いられている。
【０００３】
このような合板は、図４及び図５に示すような方法により製造されている。
【０００４】
まず、図４（ａ）及び図４（ｂ）に示すように、針葉樹木Ｔの根曲がりしている部分の上を切断し、材木Ｗｃを切り出した後、枝払いをし、その後、枝払いした材木Ｗｃからまっすぐな又は概ねまっすぐな長さ約２ｍの木材１０１を用意する。
【０００５】
次に、図５（ａ）及び図５（ｂ）に示すように、まっすぐな又は概ねまっすぐな長さ約２ｍの木材１０１を、例えば、ロータリーレース（図示せず。）等により、所定の厚さを有する板材１０２にかつらむきする。
【０００６】
次に、板材１０２を横長さ約１ｍに裁断し、横長さ約１ｍ、縦長さ約２ｍの板体１０３を作製する（図５（ｃ）を参照。）。
【０００７】
この板体１０３は、長さ約２ｍの方向に順方向に木目を有している。
【０００８】
次に、この板体１０３の裏面に、板体１０３の木目方向と直交する方向に木目を有する板体１０４を貼り合わせ、板体１０４の裏面に底板１０５を貼り合わせて、３枚の板１０３、１０４、１０５を積層接着した合板１０６を製造する。
【特許文献１】特開昭５５−１２３４０２号公報
【発明の開示】
【発明が解決しようとする課題】
【０００９】
ところで、傾斜面に生えている針葉樹木は、根元から約２ｍの根元部分が曲がっていることがある。
【００１０】
このような根曲がり部分を有する針葉樹木の場合、根元から約２ｍの根曲がり部分より上の約２ｍの部分を合板用の原料にし、根元から約２ｍの根曲がり部分については、例えば、ロータリーレース（図示せず。）等によりかつらむきにするのが困難であるため、従来は、そのような根元から約２ｍの根曲がり部分については、廃棄（野積みや焼却処分）するか、粉砕してパルプ原料にしている。
【００１１】
しかしながら、パルプ原料は、輸入されているため、国内市場においては、だぶついており、野積みには自然発火の問題があり、焼却処分するのは二酸化炭素（ＣＯ２）を発生させることになり、地球の温暖化を防ぐという見地からは、好ましくない、といったような問題がある。
【００１２】
本発明は、以上のような問題を解決するためになされたものであって、廃棄（野積みや焼却処分）するか、粉砕してパルプ原料にされ、有効利用されていない、根元から約２ｍの根曲がり部分を利用した合板の製造方法及びそのような方法によって得られる合板を提供することを目的としている。
【課題を解決するための手段】
【００１３】
本発明者は、立木の根曲がりしている木の根元部分の根元から約２ｍ部分の、従来は、未利用又はあまり有効には利用されていない部分を約１／２に切断すれば、容易に板材にかつらむきできること、且つ、木の根元部分の根元から約２ｍ部分は、ふしが少なく、容易に板材にかつらむきできさえすれば、優れた美観を有する、商品価値の高い表面板（化粧板）を得ることができることを知見し、鋭意努力した結果、未利用資源の有効利用の可能な、本発明を完成するに至った。
【００１４】
請求項１に記載の合板の製造方法は、根曲がり部分を有する木の根元部分から約２ｍ部分を約１ｍ長の木材に２分割する工程と、約１ｍ長の木材を所定の厚さを有する板材にかつらむきする工程と、かつらむきすることにより得た板材を、縦長さ約１ｍ、横長さ約２ｍの板体にする工程と、縦長さ約１ｍ、横長さ約２ｍの板体を表面板とし、前記表面板の裏面に、少なくとも、１枚の板体を貼り合わせた。
【００１５】
請求項２に記載の合板の製造方法は、請求項１に記載の合板の製造方法の、表面板として、根曲がり部分を有する木の根元部分から約２ｍ部分を約１ｍ長に２分割して得た木材をかつらむきして得た板材の、前記木材の表面側に近い部分の板材を用いている。
【００１６】
木の根元から約２ｍの部分の木材は、表面側部分にふしが少なく、且つ、根元から上方に向かって先細った形状を有しているので、これをかつらむきにした場合、ふしがなく木目の美しい板材を得ることができる。
【００１７】
請求項３に記載の合板は、縦長さ約１ｍ、横長さ約２ｍの板体を表面板とし、前記表面板の裏面に、少なくとも、１枚の板体を貼り合わせた、合板であって、表面板が、横長方向に対し縦方向に木目を有する。
【００１８】
請求項４に記載の合板は、請求項３に記載の合板の、表面板が、根曲がり部分を有する木の根元部分から約２ｍ部分を約１ｍ長に２分割して得た木材をかつらむきして得た板材の、前記木材の表面側に近い部分の板材である。
【００１９】
木の根元から約２ｍの部分の木材は、表面側部分にふしが少なく、且つ、根元から上方に向かって先細った形状を有しているので、これをかつらむきにした場合、ふしがなく木目の美しい板材を得ることができる。
【発明の効果】
【００２０】
請求項１に記載の合板の製造方法では、従来、廃棄（野積みや焼却処分）するか、粉砕してパルプ原料にされ、有効利用されていない、根元から約２ｍの根曲がり部分を合板の原料として用いているので、根元から約２ｍの根曲がり部分を有効利用することができる。
【００２１】
また、この合板の製造方法では、根元から約２ｍの根曲がり部分を約二分の一長の約１ｍの木材にしてからかつらむきするようにしているので、例えば、ロータリーレース（図示せず。）等によりかつらむきにすることができる。
【００２２】
請求項２に記載の合板の製造方法では、表面板として、ふしがなく木目の美しい板材を用いている。したがって、この合板の製造方法に従って製造される合板は、優れた美感を有しているので、商品価値が高い。
【００２３】
請求項３に記載の合板は、約１ｍの木材にしてからかつらむきするようにしているので、縦長さ約１ｍ、横長さ約２ｍの板体を表面板とし、表面板の裏面に、少なくとも、１枚の板体を貼り合わせた、合板を製造した場合、表面板が、横長方向（約２ｍ長の長さ方向）に対し縦方向に木目を有したものになる。
【００２４】
しかしながら、この合板を、横長方向（約２ｍ長の長さ方向）を、縦長方向（約１ｍ長の長さ方向）よりも短い長さに裁断すれば、長さの長い方向（約１ｍ長の長さ方向）に順目の木目を有する合板とすることができる。
【００２５】
請求項４に記載の合板は、表面板として、ふしがなく木目の美しい板材を用いているので、優れた美感を有しており、商品価値が高い。
【発明を実施するための最良の形態】
【００２６】
以下、図面を参照しながら、本発明に係る合板の製造方法の一例を、更に詳しく、説明する。
【００２７】
図１〜図３は、本発明に係る合板の製造方法の一例を模式的に説明する工程図である。
【００２８】
本発明に係る合板の製造方法では、まず、従来、廃棄（野積みや焼却処分）するか、粉砕してパルプ原料にされ、有効利用されていない、立木Ｔの根元から約２ｍの根曲がり部分Ｗｉを採材する（図１（ａ）を参照）。
【００２９】
次に、図１（ｂ）に示すように、立木Ｔの根元から２ｍの根曲がり部分Ｗｉを約二分の一の長さに裁断し、約１ｍ長の木材２、２を製造する。
【００３０】
次に、図２（ａ）に示すように、約１ｍ長の木材２を、例えば、ロータリーレース（図示せず。）等を用い、所定の厚さの有する板材３Ｍにかつらむきする。
【００３１】
または、化粧板（表面板）に年輪を、輪体模様として表す際には、図２（ｂ）に示すように、約１ｍ長の木材２を、例えば、カンナＣを用い、板材（図示せず。）に切り出す。
【００３２】
次に、図３（ａ）及び図３（ｂ）に示すように、必要により、図２（ａ）や図２（ｂ）に示す方法で得た板材３Ｍを、縦長さ約１ｍ、横長さ約２ｍに切断し、これに板体４及び板体５を積層・接着し、合板６にする。
【００３３】
尚、図３（ｂ）に示す合板６では、３枚の板体が、貼り合わす例を示しているが、本発明では、合板６は、化粧板（表面板）３の裏面に、少なくとも、１枚の板体が貼り合わせていればよい。
【００３４】
ところで、一般に、２ｍ幅の合板を作成する場合、従来は、図４及び図５に示すように、木材を２ｍの長さに切断し、これをかつらむきしていき、その後、例えば、１ｍ毎に切断したものを化粧板（表面板）にし、板体１０４及び板体１０５を積層・接着し、合板１０６にしている。このような従来方法で製造される合板１０６では、化粧板（表面板）１０３は、年輪（木目）が、横幅方向に並んだ状態で現れる。
【００３５】
一方、本発明では、木材として、立木Ｔの根元から２ｍの根曲がり部分１を約二分の一の長さに裁断し、約１ｍ長のものをかつらむきしていき、その後、例えば、２ｍ毎に切断したものを化粧板（表面板）３を用い、横幅が２ｍで、縦長が１ｍの合板６を製造するようにしている。このような方法で製造される合板６では、化粧板（表面板）には年輪（木目）が、縦幅方向に並んだ状態で現れる。
【００３６】
このようにして製造された合板６を、２：１の寸法比の合板を作製する場合には、例えば、化粧板（表目板）には年輪（木目）が、縦幅方向に並んでいる、横幅が２ｍで、縦長が１ｍの合板を、図３（ｃ）及び図３（ｄ）に示すように、横幅方向を、５０ｃｍ幅で切断すると、化粧板（表面板）に、年輪（木目）が、横幅方向に並んだ状態で現れた、２：１の寸法比の合板６ａ・・・を作製できる。
【００３７】
ところで、立木Ｔの根元から約２ｍの部分の木材Ｗｉは、表面側部分にふしが少なく、且つ、根元から上方に向かって先細った形状を有しているので、これをかつらむきにした場合、ふしがなく木目の美しい板材を得ることができる。
【産業上の利用可能性】
【００３８】
本発明に係る合板の製造方法では、従来、未利用又は殆ど有効利用されていない、根元から約２ｍの根曲がり部分から、商品価値の高い、高付加価値のある、美観に優れた合板を製造できる。
【００３９】
本発明に係る合板は、美観に優れているので、商品価値が高い。
【００４０】
また、本発明に係る合板は、従来、未利用又は殆ど有効利用されていない、根元から約２ｍの根曲がり部分を原料としているので、製品の利益率が高い。
【図面の簡単な説明】
【００４１】
【図１】本発明に係る合板の製造方法の一例を模式的に説明する工程図である。
【図２】本発明に係る合板の製造方法の一例を模式的に説明する工程図である。
【図３】本発明に係る合板の製造方法の一例を模式的に説明する工程図である。
【図４】従来の合板の製造方法の一例を模式的に説明する工程図である。
【図５】従来の合板の製造方法の一例を模式的に説明する工程図である。
【符号の説明】
【００４２】
Ｗｉ  根元から約２ｍの根曲がり部分
２  約１ｍ長の木材
３  板体（表面板（化粧板））
３Ｍ  かつらむきにした状態の板材
４，５  板体
６  合板
【図１】
2005262691.tif 000003
【図２】
2005262691.tif 000004
【図３】
2005262691.tif 000005
【図４】
2005262691.tif 000006
【図５】
2005262691.tif 000007